(57)【要約】【課題】足下に設けた棚が故意にあるいはうっかり踏まれるなどの外力を受ける場合であっても復元し、折れや割れなどの破損が生じる可能性が少なくなるようにする。【解決手段】床面に沿って配置された相対向する２辺の底部脚部を有する脚を備える椅子において、底部脚部４ａに跨がるように可撓性のある合成樹脂により構成されている棚５を床面から離間させて配置し、棚５と底部脚部４ａとは棚５が撓み変形可能な撓み代を有して固定されるようにしている。【選択図】図１
2015231431.tif 000002
【特許請求の範囲】
【請求項１】
床面に沿って配置された相対向する２辺の底部脚部を有する脚を備える椅子において、前記底部脚部に跨がるように可撓性のある合成樹脂により構成されている棚を床面から離間させて配置し、前記棚と前記底部脚部とは前記棚が撓み変形可能な撓み代を有して固定されていることを特徴とする棚付き椅子。
【請求項２】
前記棚と前記底部脚部との連結は、連結部材と前記棚とで前記底部脚部を挟み込むようにして変位可能に固定されていることを特徴とする請求項１記載の棚付き椅子。
【請求項３】
前記連結部材あるいは前記棚の少なくともいずれか一方には、一対の前記底部脚部の間を横切る方向へ長手方向が配置された長孔が形成されており、該長孔に前記連結部材と前記棚とを連結する手段が貫通して前記棚が前記底部脚部の間を横切る方向へ移動可能に支持されていることを特徴とする請求項２記載の棚付き椅子。
【請求項４】
前記連結部材には底部に貫通孔を有する半球面状の凹部が少なくとも２箇所備えられ、該凹部に収まる円柱形状のボスが前記棚の裏面側に備えられ、前記凹部の前記貫通孔を通して前記ボスに前記連結部材と前記棚とを連結するビスをねじ込むことにより、前記棚が前記凹部内で揺動可能に連結されることを特徴とする請求項２記載の棚付き椅子。
【請求項５】
前記棚と前記底部脚部との連結は、前記底部脚部に対し前記棚の縁部を横方向にスライド可能に直接取り付けるものである請求項１記載の棚付き椅子。
【請求項６】
前記脚の前記底部脚部は前後方向に長手方向が配置されたものであり、左右一対の前記底部脚部の間隔が前方に比べて後方が広く形成されることを特徴とする請求項１から５のいずれか１つに記載の棚付き椅子。
【請求項７】
前記棚は前方に対して後方が撓み易く形成されていることを特徴とする請求項１から６のいずれか１つに記載の棚付き椅子。
【請求項８】
前記棚は底面が後方から前方にかけて前傾し、前方が深く、後方が浅いものであることを特徴とする請求項１から７のいずれか１つに記載の棚付き椅子。
【請求項９】
前記棚には、撓み変形を助長させる開口部を備えていることを特徴とする請求項１から８のいずれか１つに記載の棚付き椅子。
【請求項１０】
前記脚の前記底部脚部は前後方向に長手方向が配置されたものであり、左右一対の前記底部脚部の間隔が前方に比べて後方が広く形成される一方、
前記棚は前記底部脚部の長さよりも短く、その後端縁が前記底部脚部の後端に位置すると共に前端縁の前方に足を引き込み可能とする空間を備えたものであり、かつ前記棚の幅は前方に比べて後方が広くなっていると共に前方に対して後方が撓み易く形成され、かつ底面が後方から前方にかけて前傾し、前方が深く、後方が浅いものであることを特徴とする請求項１から５のいずれか１つに記載の棚付き椅子。
【発明の詳細な説明】
【技術分野】
【０００１】
本発明は、椅子に関する。さらに詳述すると、本発明は、脚の下底部に身の回り品などの荷物を載せる棚を備えた椅子に関するものである。
【背景技術】
【０００２】
従来より、座の下に荷物を置くことを可能とする棚を配置した椅子が存在する。例えば、座の直ぐ下（即ち、脚の上部）に、チェアラックと称する金属ワイヤー製の容体（かごのようなもの）を横桟に引っ掛けるようにして備えた椅子がある（特許文献１参照）。
【０００３】
また、矩形状の合成樹脂製トレイを前後左右に渡された４本の互いに直交する桟に引っ掛けて足下近くの脚底部に配置した木製椅子もある（特許文献２参照）。この合成樹脂製トレイは、その周縁の立上がり部の上縁にそれぞれ外方へ突出する横断面形状半円の被支持縁部が設けられ、これらの被支持縁部を、椅子の足下近くの脚底部に設けられた前後左右に配置された桟の上面に載せられてそれぞれ支持されるようにしている。４辺の立ち上がり部のうちの相対向する２辺には、被支持縁部よりも下方位置において立上がり部の途中から外側へ突出するように湾曲した舌状弾性係止片が設けられ、舌状弾性係止片の内側に狭まる弾性変形によって桟の通過を可能にすると共に桟の通過後に元の状態に復元して通過した桟が逆戻りするのを阻止するようにされている。即ち、舌状弾性係止片を指で内方に押し込む係止解除操作をしない限り、トレイを簡単には取外すことができない構造とされている。
【先行技術文献】
【特許文献】
【０００４】
【特許文献１】実用新案登録第３０４３３６８号公報
【特許文献２】実公平７−５１０００号公報
【発明の概要】
【発明が解決しようとする課題】
【０００５】
しかしながら、特許文献１記載の発明の場合、座席の直ぐ下の空間に棚板を設けているため、荷物の出し入れのための間口が狭くなり、収納する荷物の大きさに制限を受けると共に使い難いものとなる。他方、足下近くの脚底部に棚を配置して棚の上の空間すなわち座席までの高さ・空間を広く採るようにする場合、載せる荷物の大きさに制限を受けることは少なくなるが、足下に棚が在るのでうっかり踏まれてしまう可能性がある。このため、ワイヤー製の棚やかごでは変形してしまい、元に戻らない。また、合成樹脂製の棚の場合でも、両側だけを桟に引っ掛けて支持する構造では、外力が加わることで折れや割れが生じる可能性が高く、破損してしまう可能性がある。
【０００６】
また、引用文献２の発明の場合、脚を構成する左右の桟のみならず、前後にもトレイを受け支える桟を設けなければならず、組み立ての手間や部品点数も増え、コスト高に繋がる上に、構造的にも互いに直交する４辺の桟でトレイを受け支えるため、トレイや座下の脚間のスペースのデザインが矩形状に限られるなどのデザイン上の制約も受ける。さらに、部品点数の増加により、椅子としての軽量化も期待できない。また、前脚に架け渡された桟にトレイの前端縁が受け支えられるため、着座者が足先を座の前端縁よりも後方に引き込みたくとも引き込めない構造となり、足を置く位置に制約を受けると共に着座者が足を引き込んだ場合には、靴で棚の上に載せた荷物を踏んで汚してしまう問題がある。
【０００７】
そこで、本発明は、故意にあるいはうっかり踏まれるなどの外力を受ける場合であっても復元し、折れや割れなどの破損が生じる可能性が少ない棚付き椅子を提供することを目的とする。
【課題を解決するための手段】
【０００８】
かかる目的を達成するために請求項１記載の発明は、床面に沿って配置された相対向する２辺の底部脚部を有する脚を備える椅子において、前記底部脚部に跨がるように可撓性のある合成樹脂により構成されている棚を床面から離間させて配置し、前記棚と前記底部脚部とは前記棚が撓み変形可能な撓み代を有して固定されるようにしている。
【０００９】
ここで、棚と底部脚部との連結は、連結部材と棚とで底部脚部を挟み込むようにして変位可能に固定されていることが好ましい。また、棚と底部脚部との連結は、底部脚部に対し棚の縁部を横方向にスライド可能に直接取り付けるようにしても良い。
【００１０】
また、本発明において、連結部材あるいは棚の少なくともいずれか一方には、一対の底部脚部の間を横切る方向へ長手方向が配置された長孔が形成されており、該長孔に連結部材と底部脚部とを連結する手段が貫通して棚が底部脚部の間を横切る方向へ移動可能に支持されていることが好ましい。
【００１１】
また、本発明において、連結部材には底部に貫通孔を有する半球面状の凹部が少なくとも２箇所備えられ、該凹部に収まる円柱形状のボスが棚の裏面側に備えられ、凹部の貫通孔を通してボスに連結部材と棚とを連結するビスをねじ込むことにより、棚が凹部内で揺動可能に連結されることが好ましい。
【００１２】
また、本発明において、脚の底部脚部は前後方向に長手方向が配置されたものであり、左右一対の底部脚部の間隔が前方に比べて後方が広く形成されることが好ましい。
【００１３】
また、本発明において、棚は前方に対して後方が撓み易く形成されていることが好ましい。
【００１４】
また、本発明において、棚は底面が後方から前方にかけて前傾し、前方が深く、後方が浅いものであることが好ましい。
【００１５】
また、本発明において、棚には、撓み変形を助長させる開口部を備えていることが好ましい。
【００１６】
さらに、本発明において、脚の底部脚部は前後方向に長手方向が配置されたものであり、左右一対の底部脚部の間隔が前方に比べて後方が広く形成される一方、棚は底部脚部の長さよりも短く、その後端縁が底部脚部の後端に位置すると共に前端縁の前方に足を引き込み可能とする空間を備えたものであり、かつ棚の幅は前方に比べて後方が広くなっていると共に前方に対して後方が撓み易く形成され、かつ底面が後方から前方にかけて前傾し、前方が深く、後方が浅いものであることが好ましい。
【発明の効果】
【００１７】
請求項１記載の棚付き椅子では、足下近くの底部脚部（脚底部）に棚を配置して棚の上の空間すなわち座席までの高さ・空間を広く採ることができるので、載せる荷物の大きさに制限を受けることが少なく、荷物の出し入れのための間口も広くなり、荷物の出し入れが容易で使い易いものにできる。
【００１８】
また、足下に棚が在ることによってうっかり踏まれたとしても、ワイヤー製の棚やかごでは変形してしまって元に戻らないが、可撓性のある合成樹脂製の棚であり尚且つ棚板が撓み変形可能な撓み代を有して固定されているため、棚を構成する樹脂の撓みと連結位置の移動によって、外力を受け流すことから、棚の破損（折れや割れ）などが生じる可能性を少ないものとすることができ、外力が解除されると復元できる。つまり、本発明の棚付き椅子によれば、故意にあるいはうっかり棚が踏まれた場合でも、積極的に撓み且つ変形可能な撓み代を有して固定されているので、変形することにより折れや割れなどの破損を回避でき、外力が解除されると復元できる。
【００１９】
また、棚は床面に沿って配置された相対向する２辺の底部脚部で支えられるため、棚を受け支える桟を前後左右の４辺に設けなければならない引用文献２記載の発明とは異なり、部品点数を減らすとともに組み立ての手間を削減し、コスト削減を図ることができる。
【００２０】
さらに、構造的にも互いに直交する４辺の桟で棚を受け支える構造ではないため、棚や脚のデザインが矩形状に限られず、デザイン上の制約が少ない。さらに、棚を支えるための部品の点数が減ることにより、椅子としての軽量化も期待できる。
【００２１】
請求項２記載の発明によると、棚と脚フレームの連結は、連結部材と棚で脚フレームを挟み込むようにして固定されているので、棚に外力例えば踏みつける力などが作用したときに、連結部材と棚が脚フレームを挟み込んだ状態で脚フレームの周りを回動しながら、かつ連結部材と棚との間を拡げて脚フレームの挟持状態を拡げながら脚フレームの径方向外側へ移動可能となるため、棚が床に接するまで変形することも可能となる。また、請求項５記載の発明にかかる棚と脚フレームの連結構造においても、棚が踏みつけられたりすると、底部脚部に対し棚が横方向にスライドするため、棚が床に接するまで撓み変形することができる。
【００２２】
また、請求項３記載の発明によると、一対の底部脚部の間を横切る方向へ長手方向が配置された長孔を貫通する連結手段で棚と脚フレームとが連結されているので、棚が踏みつけられたときに、棚の両側が内側へ引っ張られて移動し、棚の撓みを助長させる。
【００２３】
また、請求項４記載の発明によると、連結部材の半球面状の凹部内で棚の裏面側の円柱形状のボスが揺動可能に連結されているので、ピボット軸受けのように棚板の傾きを可能とし、可撓性を補助すると共に棚の撓みを助長させる。
【００２４】
また、請求項６記載の発明によると、左右一対の底部脚部の間隔が前方に比べて後方が広く形成されているので、底部脚部の間に跨がるように設置される棚の位置決めが自ずと決まるため容易となる。しかも、脚の後方側における間口が広くなるので、椅子の後方からの荷物の出し入れが容易になる。
【００２５】
また、請求項７記載の発明によると、棚板は前側が剛性を有し、後側が撓み易くすることにより、前方に比べて後方が撓み易く形成されているので、うっかり踏まれ易い後方が撓み易く、荷物が集まり易い前方側では剛性が高く、荷物をしっかり支持できる。
【００２６】
また、請求項８記載の発明によると、棚板は前方が深く、後方が浅くなるように後方から前方にかけて前傾しているので、載せられた荷物が前方へ滑って移動し、落ち難い。
【００２７】
また、請求項９記載の発明によると、棚に開口部を備えているので、剛性が低下し撓み易くなる。また、水などの液体やごみが溜まらないし、軽量化できる。
【００２８】
また、請求項１０記載の発明によると、座下の棚の前方に足を引き込み可能とする空間を備えているので、足先を座の前端縁よりも後方に引き込むことができる。しかも、着座者が足を引き込んだ場合には、靴で棚の上に載せた荷物を踏んで汚してしまうことがない。
【図面の簡単な説明】
【００２９】
【図１】本発明にかかる棚付き椅子を逆カンチ脚タイプの椅子に適用した一実施形態を示す斜視図である。
【図２】同椅子の底面図である。
【図３】同椅子の脚底部の棚部分の縦断面図である。
【図４】同椅子の背座支持構造部分の縦断面図である。
【図５】底部脚部に対する棚の取り付け構造の一実施形態を示す部分拡大横断図である。
【図６】底部脚部に対する棚の取り付け構造の他の実施形態を示す部分拡大横断図である。
【図７】底部脚部に対する棚の取り付け構造のさらに他の実施形態を示す部分拡大横断図である。
【図８】底部脚部に対して棚を直接取り付ける構造の一実施形態を示す部分拡大横断図である。
【図９】底部脚部に対して棚を直接取り付ける構造の他の実施形態を示す部分拡大横断図である。
【図１０】棚の一実施形態を示す図で、（Ａ）は底面図、（Ｂ）は側面図である。
【図１１】図１の逆カンチ脚タイプの椅子の分解斜視図である。
【図１２】図１の逆カンチ脚タイプの椅子の座受け部材の支持構造を分解して示す斜視図である。
【図１３】図１の椅子の身体支持部材の背部と背フレームとの連結構造を示す縦断面図である。
【図１４】図１の逆カンチ脚タイプの椅子の座受け部材の支持構造を示す平面図である。
【図１５】逆カンチ脚タイプの椅子の他の実施形態として背座固定タイプの一例を示すもので、座受け部材と脚との分解斜視図である。
【図１６】本発明にかかる棚付き椅子を逆カンチ脚タイプの椅子に適用した場合で、メモ台を備える実施形態を示す側面図である。
【図１７】同メモ台付き椅子の正面図である。
【図１８】本発明にかかる棚付き椅子を４本脚タイプの椅子に適用した一実施形態を示す斜視図である。
【発明を実施するための形態】
【００３０】
以下、本発明の構成を図面に示す実施形態に基づいて詳細に説明する。
【００３１】
図１〜図５及び図１０〜１４に、本発明にかかる椅子の実施形態の一例を示す。この実施形態の椅子は、逆カンチ脚と呼ばれる脚タイプの椅子であり、座の下で脚部の足下近くの踏み付けられる位置に棚５が備えられている。逆カンチ式脚は、台形から前方の脚を除いた形状、即ち、上底（座受け部４ｂ）と下底（底部脚部４ａ）と後方脚（後脚部４ｃ）との３辺から成り、全体としてコの字形を成す。尚、本明細書中において、脚という用語は、背や座などを支持するもの全般を指すものとして用いられ、特に縦方向の部材のみならず前後の脚間を連結する水平な支持部を含めたものとして使用されている。
【００３２】
逆カンチタイプの脚４は、具体的には、図１２及び図１１に示すように、例えばスチール製又はステンレス製のパイプを連続的に折り曲げて形成した左右一対の脚体を脚継ぎ軸４ｅ並びに後脚間の脚継ぎ部材４ｄで連結することによって一体的に組み立てられている。左右一対の脚体は、それぞれ１本のパイプを連続的に折り曲げて上底部となる座受け部４ｂ、後脚部４ｃ及び床面と平行に配置される下底部となる接地部（以下、底部脚部と呼ぶ）４ａを形成することにより側方から見て略コ形に形成されている。これによって、床面に沿って配置された相対向する２辺の底部脚部４ａを有する脚４を備え、座下の脚部の足下近くの踏み付けられる位置に棚５が配置される椅子が構成される。脚４の左右一対の脚体と脚継ぎ軸４ｅ並びに後側の脚継ぎ部材４ｄとは、溶接付けで連結することによって、一体化されている。尚、脚４の下底部即ち底部脚部４ａには、図１及び図２などに示すように、その前端と後端とにそれぞれキャスター２５が備えられ、底部脚部４ａが床面と平行に浮かされて支持され、移動可能に設けられている。キャスター２５はプラスチック製のキャスター受け２６に支持され、キャスター受け金具２７を介在させて底部脚部４ａに下からビス４０で止め付けられている。
【００３３】
本実施形態の脚４の場合、図１及び図２に示すように、底部脚部４ａは前後方向に長手方向が配置されたものであり、左右一対の底部脚部４ａの間隔が前方に比べて後方（後脚４ｃ側）が広く形成されている。これによって、略扇形状の棚５が底部脚部４ａの間に跨がって配置される位置が一義的に定まるため、棚を脚４に取り付ける際の位置決めが容易になる。また、後脚４ｃの間の間口が広いので、椅子の後方からの荷物の出し入れも容易になる。勿論、左右一対の底部脚部４ａの間隔は一定即ち平行であっても良いし、後方に比べて前方が広く形成されても良い。
【００３４】
また、棚５は、可撓性のある合成樹脂例えばポリプロピレンなどの熱可塑性合成樹脂により構成されている。本実施形態の場合、棚５は、全体において可撓性を有しているが、特に前方に対して後方が撓み易く形成されていることが好ましい。これは、本実施形態における棚５が、図１及び図２に示すように、底部脚部４ａの長さよりも短く、その後端縁５ｂが底部脚部４ａの後端に位置すると共に前端縁５ｃの前方に足を引き込み可能とする空間２８を備えるように配置しているため、即ち後寄りに棚５が設置されているため、棚５の後方が踏みつけられ易いことにある。また、棚５は、図３に示すように、周縁部分が立ち上がって壁となる浅い箱状（トレイ）を成し、前方が深く後方が浅くなるように、左右両側の縁部に対しその底面が前方に向けて傾斜させられて、荷物が前方へ滑って移動し、前方の深い縁に引っ掛かって落ち難い構造とされている。しかも、本実施形態の場合、棚５は、脚構造に合わせて、前方が狭く、後方が広がる扇形を成すと共に、その前端縁５ｃ及び後端縁５ｂが同じ方向（後方）に湾曲した曲面に形成されているので、椅子の後方においては棚５の中央部分がより多く後方に突出するようになる。したがって、本実施形態の棚５においては前方に対して後方が撓み易く形成されることが好ましい。具体的には、前端縁５ｃ及び後端縁５ｂに沿って形成されるリブの厚みや高さで調整したり、立ち上がり壁の深さなどを調整することにより、前側は剛性を有し、後側は撓み易くしている。勿論、奥側よりも前側で踏みつけられる可能性がある場合、例えば回転脚の脚羽根間に棚を設置する場合などにおいては、前側が撓み易く、後側（奥側）に剛性を持たせることもある。また、棚５の底部脚部４ａに対する取り付け位置は上述した図示のものに限られず、底部脚部４ａの全域あるいは前方寄り、若しくは中央（棚の前方と後方とにそれぞれ空間を備える）に配置するようにしても良い。
【００３５】
ここで、棚５は、座の下で脚部の足下近くの踏み付けられる位置でかつ床面から離間した位置に取付けられている。例えば、棚５の弾性変形可能な範囲内で床面から離間した位置に取付けられることが好ましい。例えば、図１及び図３に示す実施形態において、キャスター２５の直径が50mmφ、パイプ径が25.4mmのとき、それにキャスター受け金具２６などを含めると、棚５の上面は、床面から80mm程度の位置にある。そして、棚５の厚みは20mm程度であるため、棚５の下面は、床面より60mm程度の位置とされる。本実施例の場合には、合成樹脂製の棚５の弾性変形量が少なくとも60mm程度あればよい。この場合、誤って棚５を踏んでしまった場合にも、棚５が割れるほどの外力が加わる前に床面に当接する事でそれ以上の外力が加わることはないため棚５は割れることはない。勿論、床面からの高さが異なる実施例の場合には、それに見合った弾性変形が棚５に許容されることが望ましい。
【００３６】
棚５の底面には、図１及び図２に示すように、多数の孔５ｄが全域に均等に分散されて開口されている。これによって、棚５を軽量化できると共に撓み易くし、さらに水などの液体やごみが溜まらないにすることができる。孔５ｄは本実施形態の場合、六角形状を成し、縦横に一定間隔で連続的に形成されることで、全体にハニカム状の底面を構成している。この場合、縦横方向に均等な弾力性を与えることができる。この撓み・変形を助長させる開口部・孔５ｄは六角形に限られず、真円孔でも、楕円孔、三角孔や矩形孔など、様々な形状とすることができる。また、孔５ｄの配置も、本実施形態のように一定間隔で設けることに限られず、局所的に集中させたりあるいは大きさや配列ピッチを適宜変化させるなど、さまざまな配置を必要に応じて採ることができる。
【００３７】
この棚５の平面形状は図示したものに特に限定されるものではなく、様々な形状、形態、構造を必要に応じて採用できる。例えば、棚５は、左右両側を底部脚部４ａで支持するため、前端縁５ｃ及び後端縁５ｂの形状には特に限定されない。例えば、図示するように前後方向に湾曲した形状とすることも、単なる矩形状とすることも、あるいは前後方向の双方に突出した太鼓状にすることも可能である。構造的に矩形状にしなくては成らないという制約がなくなるので、デザインの自由度が高いものとなる。
【００３８】
棚５と底部脚部４ａとは、棚５が撓み変形可能な撓み代を有して固定されている。例えば、本実施形態では、棚５と底部脚部４ａとの連結は、連結部材９と棚５とで底部脚部４ａを挟み込むようにして変位可能に固定されている。具体的には、例えば図５に示すように、棚５の両側に底部脚部４ａに被さるように外側へ突出する円弧状（四半円形状）の縁部５ａと、左右の底部脚部４ａの間に落とし込まれる棚５の本体部分５ｅと底部脚部４ａの下面との間に跨がるように配置され棚５の本体部分５ｅに対して連結される連結部材９とを備え、底部脚部４ａの上側に掛けられる縁部５ａと下側に宛がわれる連結部材９とで底部脚部４ａを挟み込むように保持することで変位可能に固定されている。棚５の本体部分５ｅの縁部５ａ寄りの底面には連結部材９を貫通するビス１０をねじ込むための雌ねじを構成するボス部１１を備える一方、連結部材９にはボス部１１と対応する位置に凹部１２が形成され、凹部１２にボス部１１の先端が収容されることで凹部１２の内面をボス部１１の接する部分が移動可能に支持される。本実施形態の場合、ボス部１１は先端に向かって僅かに縮径するテーパー状の円柱状を成すと共にその周面に等間隔に４本のリブ１１ａが径方向外側に突出するように形成されている。したがって、ボス１１の先端では、十字状に配置された４箇所のリブ１１ａの角部分が凹部１２の内面に点接触ないし線接触し、凹部１２の内面に沿って移動可能にされている。即ち、ピボットと凹部・ピボット支えとから成るピボット軸受けと同等の軸受け構造を構成している。依って、ボス部１１が内側に向けて傾斜するようにスライドして棚５を撓み易く支えることから、棚５が踏みつけられたりすると撓みが生ずる。即ち、撓み代を確保している。尚、ボス部１１は適当な間隔を開けて前後に２箇所備えられており、それら両端のボス部１１の間には凹部１２の深さ分だけ高さが低い縦筋と横筋とから成るリブ（連結部材受面）１１ｂが形成され、凹部１２の外でも連結部材９とリブ１１ｂを介して当接するように設けられている。これらボス部１１とリブ１１ｂとは棚本体部分５ｅと一体成形されている。連結部材９側の凹部１２の底部分には連結用のビス１０を貫通させるための孔１２ａが空けられており、連結部材９の下から挿入された連結用のビス（例えばタッピンねじ）１０を凹部１２の中に収められたボス１１にねじ込むことで、雌ねじを切りながら棚５と連結部材９とが連結される。また、本実施形態では棚５の本体部分５ｅの底面にボス部１１を備え、連結部材９に凹部１２を形成するようにしているが、棚５に凹部１２を設け、連結部材９にボス部１１を設けるようにしても良い。
【００３９】
ここで、底部脚部４ａを挟持する棚５と連結部材９との間の連結箇所は、図２に示すように、本実施形態の場合、棚５の前端縁５ｃの近傍と棚５の中程との２箇所のボス部１１であり、それらの間で底部脚部４ａが縁部５ａと連結部材９とによって挟持されている。即ち、図３に示すように、底部脚部４ａの中程で、棚５の前半部が固定され、後半部は拘束されていない自由支持となっている。このため、棚５の後端５ｂが踏まれたときに、棚５の後半部が大きく撓むと共に、後側の連結箇所付近ではボス部１１が内側に向けて傾斜しあるいはスライドして棚５の撓みを助長させる。連結箇所は上述の位置に特に限定されるものではなく、必要に応じて、棚の中盤、後半部のいずれにも可能であるし、連結箇所の数も任意である。また、棚５の底部脚部４ａに対する連結箇所・取り付け位置は、上述した図示のものに限られず、底部脚部４ａの全域あるいは前方寄りにしても良いし、場合によっては棚５の前方と後方とにそれぞれ足を踏み込むための空間を備えるように配置するようにしても良い。また、本実施形態では、底部脚部４ａは断面円形のパイプを用いている例を示しているがこれに特に限られるものでなはく、例えば横長な扁平な楕円パイプや矩形パイプでも良いし、場合によっては中実な軸であっても良い。尚、本実施形態では、棚５を支える水平支持部材として丸パイプの底部脚部４ａを利用しているので、棚５の両側の縁部５ａは、円弧状（四半円形状）としているが、これに特に限られるものではなく、水平板状や逆Ｌ形などの断面形状としても良いし、底部脚部４ａの断面形状に応じて様々な縁部形状を採用し得る。好ましく、底部脚部４ａに良好に引っ掛かり、載せる荷物を支え得る強度を保ちうると共に棚５が撓むときに底部脚部４aから脱落し難い縁部形状とすることである。
【００４０】
勿論、棚５と脚４の底部脚部４ａとの撓み変形可能な連結構造は、上述のピボット軸受け方式には限られず、図６に示すように、連結部材９あるいは棚５の少なくともいずれか一方即ち棚５の縁部５ａ寄りの本体部分５ｅと連結部材９の少なくともいずれか一方に、一対の底部脚部４ａの間を横切る方向へ長手方向が配置された長孔２９を形成し、該長孔２９を貫通させて連結部材９と棚５とを連結手段例えばビス３０で連結することにより、棚５の縁部５ａと連結部材９とで底部脚部４ａを挟み込みながら、且つ棚５が内側へ向けて移動可能に底部脚部４ａに固定することも可能である。この場合、棚５が踏みつけられると、底部脚部４ａの軸心を中心にして固定部（連結状態にある棚５の縁部５ａと連結部材９）が回転し、あるいは底部脚部４ａを挟み込む連結部材９と棚５との間の間隔が広がることによって棚５の撓みが助長され、さらには両縁部５ａが長孔２９の範囲内で左右の底部脚部４ａの間に引き込まれるように移動しながら棚５が撓む。他方、外力から開放されると、棚５自体の復元力によって棚５の形状が復元し、底部脚部４ａの軸心を中心にして固定部（連結状態にある棚５の縁部５ａと連結部材９）が回転し、あるいは底部脚部４ａを挟み込む連結部材９と棚５との間の間隔が元に戻り、さらには両端の縁部５ａが連結部材９の長孔２９に沿って外側へ移動するため（原位置に戻るため）、底部脚部４ａの上を滑って元の状態に戻る。ここで、連結箇所における連結部材９と棚５との間、即ち棚５の本体部分５ｅの縁部５ａ寄りの底面と連結部材９との間には、連結箇所における棚５と連結部材９との間をほぼ平行に保つためのスペーサを配置することが好ましい。例えば、棚５の本体部分５ｅの裏面側に一体的に突起・ボス１１を形成したり、ビス３０を貫通させる際に独立した筒状のスペーサ（図示していない）を介在させることが好ましい。尚、この連結構造では、連結部材９を底部脚部４ａに対して摺動あるいは回動可能に当てているが、これに特に限られるものではなく、連結部材９そのものを底部脚部４ａに予めビス止めなどで固定するようにしても良い。この場合、連結部材９は底部脚部４ａに固定されて回転あるいは移動することがないので、主に長孔２９に沿った棚５の移動によって棚５の撓みが助長される。
【００４１】
また、棚５と底部脚部４ａとの連結構造は、例えば図７に示すように、棚５の両側に底部脚部４ａに被さるように外側へ突出する縁部５ａと、左右の底部脚部４ａの間に落とし込まれる棚５の本体部分５ｅと底部脚部４ａの下面との間に跨がるように配置される連結部材９とを、底部脚部４ａを挟み込んだ状態で締結ねじ１０などで連結し、底部脚部４ａの軸心を中心にして固定部（連結状態にある棚５の縁部５ａと連結部材９）が回転するように保持させることで棚５を撓み易く取り付けるようにしても良い。この場合においても、連結箇所における連結部材９と棚５との間には、連結箇所における棚５と連結部材９との間をほぼ平行に保つための突起１１あるいは独立したスペーサを配置することが好ましい。
【００４２】
上述の実施形態における連結構造において、連結部材９は、棚５の縁部５ａとの間の挟持力で底部脚部４ａに摺動可能で引っ掛かるようにしても良いが、底部脚部４ａに対してビス止めなどで予め固定しておいても良い（図示省略）。また、連結部材９は、上述の実施形態では、端部を折り曲げた係止部９ａを設けて底部脚部４ａに引っ掛かる構造としているが、これに特に限られるものではなく、Ｖの字形に折り曲がられた係止部（図示省略）を設けるようにしても良いし、場合によっては単なる平板にしても良い。
【００４３】
さらに、棚５が撓み変形可能な撓み代を有して底部脚部４ａに固定される方法としては、上述の２部材によって挟み込む構造に限られない。例えば、図９に示すように、棚５の両側の縁部５ａにフォークエンド状（刺股状）の把持部３２を一体形成して、両側の底部脚部４ａに対して弾力性を持たせて嵌合させるようにしても良い。このようにして、刺股状の把持部３２と底部脚部４ａとの間で相対回転させることで、棚５の湾曲・撓みを許容させる取り付け構造としても良い。この場合、棚５の脱落を防ぐため、刺股状の把持部３２あるいは底部脚部４ａ側に回転方向に長手を配置した長孔３１を形成して、脱落防止用のビス３３などを貫通させることにより、刺股状の把持部３２が長孔３１の範囲内でのみ回転するようにしても良い。
【００４４】
また、棚５と底部脚部４ａとを撓み代を以て固定する手法としては、上述の連結部材９と棚５の縁部５ａとで底部脚部４ａを挟み込む固定構造に特に限られず、底部脚部４ａに対し棚５の縁部５ａを横方向にスライド可能に直接取り付ける構造としても良い。例えば、図８に示すように、棚の縁部５ａに、一対の底部脚部４ａの間を横切る方向へ長手方向が配置された長孔２９を備える一方、底部脚部４ａにスタッドボルトあるいはスタッド溶接等により軸部３３を植立し、縁部５ａの長孔２９に底部脚部４ａに植立した軸部３３を貫通させるように棚５を底部脚部４ａに引っ掛け、長孔２９の範囲で棚５が底部脚部４ａの間を横切る方向へ移動可能に支持するようにしても良い。この場合、棚５の脱落を防ぐため、縁部５ａの全域を上から押さえつける押え板あるいは長孔２９の幅よりも大きい座付きナットのようなもの（以下これらを総称して押え部材３４と呼ぶ）を用いて、底部脚部４ａと押え部材３４との間で縁部５ａを挟持するようにしても良い。これにより、棚５が踏みつけられたときには、棚５の両縁部５ａが内側に向けて引き込まれるような力がかかり、長孔２９の範囲内で縁部５ａが横方向にスライドし、棚５の撓みが助長される。他方、外力から開放されると、棚５自体の復元力によって棚５の撓みが解除され、両端の縁部５ａが押え部材３４と底部脚部４ａとの間を滑って外側へ移動して原位置に戻るため、棚５は復元する。
【００４５】
他方、脚４の上には、座及び背などが備えられている。本実施形態では、図１１に示すように、座２と背３は樹脂成形品で一体成形された身体支持部材１によって構成されている。そして、身体支持部材１は、座部２が座板８で支持されると共に背部３が背フレーム６で支持されるように設けられている。
【００４６】
尚、本実施形態の座部２は、特に図示の形状並びに構造に限定されるものではないが、着座者の臀部を包み込むように周縁部が盛り上がった球面状の凹部と、着座者の身体特に大腿部の裏側を圧迫しないように持ち上げるように緩やかに隆起しながら垂れ下がる周縁部とを有し、水平支持されるときには臀部に対して大腿部の前側がやや持ち上げられ身体がやや後傾する姿勢を採ることと成り、前傾姿勢にしたときには、前部と凹部とがほぼ水平面上に並びに、姿勢が前のめりになり易いものとされている。他方、背部３は、前後左右方向に湾曲する横長な楕円形状を成し、座との境界部分が大きく括れるように設けられている。したがって、背座一体の身体支持部材１は、全体として曲線美にあふれる女性的な優美さを伴う形態・フォルムを象っている。
【００４７】
座板８は縦横にリブが配置されて軽量でありながら所望の強度が確保された樹脂成形品であり、図示していないが、例えば主座受け部材１３及び副座受け部材１４に適合する凹凸を裏側に形成して、主座受け部材１３及び副座受け部材１４並びに座受けプレート１５に固定するためのビス止めするためのねじ部や、身体支持部材１の座部２の裏面に突出させたボス部を嵌合させてねじ止めにより一体化可能とする筒状の受け部などを備えている。したがって、座板８は身体支持部材１と一体化されてから、主座受け部材１３及び副座受け部材１４並びに座受けプレート１５などを介して脚４の上に備えられる。
【００４８】
尚、本実施形態の場合、主座受け部材１３の後端側で横方向に突出する副座受け部材１４を利用して、肘掛け７が左右に突出するように取り付けられる。具体的には、肘掛け７は、副座受け部材１４の両翼部分に下から宛がわれ、下からねじ込まれるビスで止め付けられる。また、肘掛け７の下にはプラスチック製肘掛けカバー１８が装着され、肘掛け７の固定部が見えないように隠されている。肘掛けカバー１８は、通常、鉤状の爪を肘掛け７に引っ掛けることにより脱着可能に装着されている。尚、肘掛けは内側の面が湾曲した、座部の半球面の凹部と同心状の円弧で形成されている。
【００４９】
また、背フレーム６は、図４及び図１１に示すように、その下端に横方向に長い楕円形の筒状の主座受け部材嵌合部４６を備え、該嵌合部４６を主座受け部材１３の後方の横断面形状門形の傾斜した尖端部（背フレーム取付け部４７）に嵌合させて、ビス止めすることで主座受け部材１３に固定されている。具体的には、背フレーム６の下端の主座受け部材嵌合部４６は、主座受け部材１３の後方の横断面形状門形の尖端部（背フレーム取付け部４７）に嵌合する横方向に長い楕円形でかつ奥行き側に向かうに従って天井高さが低くなる（高さ方向の寸法が狭まる）先窄まりの収納空洞部を有する筒状に形成されている。また、背フレーム受け１６には、背フレーム６の嵌合部４６を固定するためのねじ部が背フレーム６のねじ部と対応する位置に設けられている。このため、背フレーム６と主座受け部材１３の尖端部との連結構造は、主座受け部材１３の尖端部の上面となる背フレーム受け１６に対してビス止めなどで固定するだけでなく、尖端部の両側壁部においても背フレーム６の嵌合部４６の下側の面に対して同時に当接することとなるので、背フレーム６の嵌合部４６の上側だけでなく下側においても主座受け部材１３の尖端部において支持されるため、ぐらつき無く安定かつ強固な支持が得られる。尚、本実施形態では、主座受け部材１３の後方の先窄まりでかつ傾斜した尖端部（背フレーム取付け部４７）は、折り曲げによって天井面と側壁部とを一体形成するのではなく、後端に向かうに従って細くなる側壁部分のみを形成して、その両側壁部分に跨がるように背フレーム受け１６を配置して溶接付したものである。勿論、予め主座受け部材１３と一体に背フレーム受け１６に相当する取り付け面を備えるようにしても良い。
【００５０】
身体支持部材１の背部３と背フレーム６とは、図４及び図１３に示すように、背部３の上部において連結されて支持されている。例えば、背３の背面側には突起（雄部材）３７が一体的に形成され、背フレーム６の頂部には背に向けて突出する筒状部（雌部材）３８が設けられ、突起３７と筒状部３８とを嵌合させた状態で下から締結ねじ３９をねじ込んで固定するように設けられている。突起３７並びに筒状部３８には、それぞれの下面に下向きに開口されたねじ孔と開口とが設けられ、これらが一致した位置で下から締結ねじ３９をねじ込むことで、嵌合された突起３７と筒状部３８とを一体化する。依って、背の側方並びに上方からは、背と背フレーム６とを接合するねじ締結部が見えないので外観がスマートなものとなる。本実施形態では、突起３７と筒状部３８とは横長な楕円形に形成されているが、これに特に限られるものではなく、様々な形状の凹凸としても良い。尚、背フレーム６は、身体支持部材１の背部３の形状に沿った略Ｓ字形の側面形状を成し、且つ背面側から見てＴ形の形状を成しているが、この形状に特に限定されるものではない。
【００５１】
本実施形態の椅子は、前座り(座に浅く腰掛ける)をした場合であっても、背、座が追従する機能を有している。この背座追従機能は、図４及び図１２に示すように、脚４の上端に配置されている枢軸・脚継ぎ軸４ｅに対して揺動可能に支持されている主座受け部材１３に、後端側を常時押し上げて背座一体の身体支持部材１を前傾させようとするものである。本実施形態の場合、ガススプリング２２などの付勢手段を用いて、主座受け部材１３の後端側を常時押し上げるように付勢することで、着座者が前座りするときに、背部３及び座部２が追従するように前傾し（図４（Ａ）の状態）、着座者の前座り姿勢を補助する。また、着座者が通常の着座姿勢（図４（Ｂ）の状態）から立ち上がろうとするときには立ち上がり動作を補助する。
【００５２】
身体支持部材１を支持する構造は、主座受け部材１３と、副座受け部材１４と、座受けプレート１５、背フレーム受け１６、背フレーム６及びガススプリング２２によって構成されている。主座受け部材１３の後端側に副座受け部材１４及び背フレーム受け１６を溶接付して一体化すると共に前端側に左右方向に迫り出すように座受けプレート１５が配置されて溶接付されている。主座受け部材１３は、脚４の上端に溶接付された前端側の脚継ぎ軸４ｅに揺動自在に取り付けられている。主座受け部材１３と脚継ぎ軸４ｅとは、主座受け部材１３の裏面側に突出するように形成される軸受け台（主座受け部材１３を凹ませた凹部により裏面側に突出形成される軸承台）１９と、該軸受け台１９に脚継ぎ軸４ｅを挟んだ状態で固定されるサドルバンド形の軸受け台金具２０とで回転可能に支持されている。軸受け台金具２０で脚継ぎ軸４ｅを下から挟み込んで主座受け部材１３にねじ止めで取り付けられる。軸受け台金具２０と軸受け台１９との間には、軸断面に沿って半割された半円筒状のブッシュ２１が脚継ぎ軸４ｅに被せられて介在されるように設けられている。尚、半円筒状のブッシュ２１の周面には、ブッシュ２１の外周面が内接する矩形状のフランジが設けられ、ブッシュ２１の位置決めと回転抑制が図られている。
【００５３】
軸受け台金具２０は主座受け部材１３の左右に形成される凹部（裏面側では脚継ぎ軸４ｅを支える軸承台となる）の２箇所ずつの孔を利用して主座受け部材１３にそれぞれ固定されている。つまり、軸受け台金具２０は、脚継ぎ軸４ｅの両端を回転自在に支持するサドルバンド形の左右１組の軸受け部品である。この左右に間隔を空けて配置された軸受け台金具２０の間にガススプリング受け金具２３を配置して脚継ぎ軸４ｅと固定するようにしている。
【００５４】
他方、脚継ぎ軸４ｅには、ガススプリング受け金具２３が回転不能に溶接付けされ、一体化されている。このガススプリング受け金具２３は、ガススプリング２２の一端を回転自在に連結するためのフォークエンド形状を成す金具であり、図４に示すように、下向きでかつ斜め後方に向けて配置されるように溶接付けされている。そして、ガススプリング受け金具２３はガススプリング２２を介して主座受け部材１３に繋がっている。したがって、主座受け部材１３の水平位置での固定は、ガススプリング２２の伸縮が固定された点となる。ガススプリング２２の基端部とガススプリング受け金具２３とはピン２４ｆによって回転自在に連結されている。
【００５５】
ここで、ガススプリング受け金具２３の天頂面の主座受け部材１３と近接する側は、主座受け部材１３を通常の着座状態（ほぼ水平）にしたときにほぼ平行となる斜面２３ａに形成され、ガススプリング２２の収縮動作を固定させる点として設定された位置でガススプリング２２の収縮動作が停止しないときに、主座受け部材１３が当接して主座受け部材１３の動きを止めるストッパ面として機能するものである。これによって主座受け部材１３がオーバーランしないように設けられている。即ち、ガススプリング２２での固定が作動する場合には、若干の隙間が主座受け部材１３の下面とガススプリング受け金具２３の天頂面との間には空いていることとなる。
【００５６】
また、主座受け部材１３は周縁部に下側に向かって延びる周壁部を有し、リブ効果を備える箱形を成している。そして、主座受け部材１３の後端側にはガススプリング２２を取り付けるための軸受け部が打ち抜きによって形成され、それが内側に折り曲げられて一体的に形成されている。この軸受け部には、ガススプリング２２の一端であるロッド先端が連結されるピン２４ｂを貫通させる孔が設けられている。
【００５７】
また、本実施形態では、ガススプリング２２に跨がるように補強金具３５が配置されて備えられている。この補強金具３５は、本実施形態の場合、背フレーム受け１６と一体的に形成されており、主座受け部材１３に溶接付されている。この補強金具３５は単なる補強として機能するものであり、十分な強度が得られる場合には、設けなくとも良い。
【００５８】
以上のように構成された前傾タイプの座支持構造では、脚４の座受け部４ｂの先端の脚継ぎ軸４ｅに対して、主座受け部材１３は回転自在に支持されるが、ガススプリング受け金具２３が脚継ぎ軸４ｅに対して固着され、さらに脚継ぎ軸４ｅが脚４の上底の前端部に回転不能に固着されて支持されているので、ガススプリング受け金具２３が固定リンクとなり、ガススプリング２２が伸縮する範囲で主座受け部材１３の傾きが変化し、かつガススプリング２２が最も縮んだ状態で長さが固定されたリンクとなれば、３本のリンク（主座受け部材１３、ガススプリング受け金具２３及びガススプリング２２）から成る固定連鎖を構成する。つまり、主座受け部材１３の水平位置ではガススプリング２２の伸縮が固定される点となって、背座一体の身体支持部材１を水平状態に保持して体重を支えることができる。即ち、腿部の前側がやや持ち上げられ身体がやや後傾するリラックス姿勢を採り得る。他方、着座者がその重心を前方へ移動させるように体を起こせば、ガススプリング２２の伸びによって主座受け部材１３の後端側を押し上げて身体支持部材１を前傾させる。このため、座部２の前部と凹部とがほぼ水平面上に並びに、前傾姿勢が採りやすい状態となる。即ち、討論のときのように、前のめりの姿勢をとり易いものとなる。  
【００５９】
また、上述の実施形態では、背座一体の身体支持部材１は、ガススプリング２２などの付勢手段によって常時付勢されることで前傾姿勢を採り、後ろ側に体重をかけて着座することで前傾姿勢が解除されて通常の姿勢（水平姿勢）に保たれるように設けられているが、この可動構造に特に限られず、身体支持部材の角度が常時固定されている構造とすることも可能である。例えば、図１５に逆カンチ脚タイプの椅子の他の実施形態として背座固定タイプの一例を示す。この実施形態の椅子は、着座者の立ち上がり補助機能を有していないもの、即ち脚４に対して主座受け部材１３ひいては身体支持部材１が固定されたものである（以下、固定タイプの椅子と呼ぶ）。この固定タイプの椅子では、主座受け部材１３と脚継ぎ軸４ｅとが直接固定されて支持されるため、ガススプリング２２およびそれに関連する部品例えば軸受け台金具２０、ブッシュ２１、ガススプリング受け金具２３などは不要となるが、それ以外の多くの部品は前述の前傾タイプの椅子と共通化できる。具体的には、図１５に示すように、固定金具３６を予め脚継ぎ軸４ｅに挿入して溶接した後に、固定金具３６と主座受け部材１３をねじ止めすることによって、主座受け部材１３と脚継ぎ軸４ｅとを一体化して脚４に支持させる。このため、背座一体の身体支持部材１は、脚４に対して固定保持され、その角度を変化させることがない。
【００６０】
さらには、本発明にかかる椅子には、必要に応じてメモ台や肘掛けなどを備えるようにしても良い。例えば、図１６〜図１７に、メモ台を備えた椅子の実施形態を示す。この本実施形態の椅子は、図１に示す逆カンチ脚タイプの固定タイプの椅子に、跳ね上げ式のメモ台を備えたものである。メモ台４１は、天板４２とこの天板４２を旋回かつ回転可能に支持する天板受け４３及び天板受けを支えるメモ台支持アーム４４とから構成され、例えば着座者の右側の底部脚部４ａ並びに座受け部４ｂに、メモ台支持アーム４４並びに補助アーム４５が溶接付けなどで固着されることによって、椅子に取り付けられている。メモ台４１は、不使用時には椅子の側方に立てられるように待機させ、使用するときに水平に持ち上げ旋回させることで着座者の前に設置されるように設けられている。
【００６１】
また、脚形状は上述の逆カンチ式に限られず、前側に脚部を有するカンチ式脚タイプ、４本脚タイプあるいは回転脚タイプであっても良いし、場合によっては１本のパイプを連続的に折り曲げることによって矩形の環状に形成された左右一対の脚４を脚継ぎ部材で連結して成るサークル脚であっても良い。いずれにおいても、左右あるいは前後に床面に沿って配置された相対向する２辺の底部脚部を有するものであれば、上述の棚５を装備することはできる。
【００６２】
例えば、図１８に４本脚タイプの椅子の一実施形態を示す。この４本脚タイプの椅子は、特に図示していないが、４本脚を構成する脚４の上底部のパイプと主座受け部材１３とが単純に溶接されることによって、主座受け部材１３が脚４の頂部に固定されている。この４本脚タイプの椅子においても、図示のように、左右の脚の間の間隔・空間が椅子の前方側よりも後方側が広く構成されることが好ましい。この場合、棚に載せる荷物の出し入れが容易であると共に、略扇形状の棚５の設置位置が一義的に定まり、棚を脚４に取り付ける際の位置決めが容易になるなどの利点を有する。勿論、左右一対の底部脚部４ａの間隔は一定即ち平行であっても良いし、後方に比べて前方が広く形成されても良い。尚、この４本脚の場合、床面に沿って配置された相対向する２辺の底部脚部が、前後の脚を連結する側方の脚継ぎパイプ（桟）には限られず、左右の脚を連結する前後の脚継ぎパイプ（桟）とすることも可能である。つまり、棚５の両側の縁部５ａを支える底部脚部４ａとしては、左右方向(幅)方向に長手方向が配置された脚?パイプ（桟）を利用しても良く、この場合には棚の前後端に縁部５ａを底部脚部で支持すると共に左右両端が支持されない構造とされる。そして、この場合には、左右両側から踏みつけられる場合に備えて、左右両側を撓み易くすることが好ましい。
【００６３】
また、回転脚タイプの椅子の場合には、図示していないが、例えば、主座受け部材１３に脚柱の昇降用ガススプリングを受ける部材（図示省略）を溶接し、そこに脚柱のガススプリングを嵌め込むことで固定することができる。尚、回転脚タイプの椅子では、脚に対して上側の座や背は脚柱を中心に水平回転するので、厳密な意味で脚の前後関係は定まらないが、本明細書においては、説明の便宜上、脚羽根の外側を前方、脚羽根の内側を後方と定義する。そして、脚羽根の間には、上述の棚５が撓み変形可能な撓み代を有して固定されている。例えば、上述したように、棚５と脚羽根（底部脚部）との連結は、連結部材９と棚５とで底部脚部を挟み込むようにして変位可能に固定したり、脚羽根（底部脚部）に対し長孔とスタッド溶接等で植立された軸部との組み合わせなどで棚５の縁部５ａを横方向にスライド可能に直接取り付ける構造としても良い。
【００６４】
なお、上述の形態は本発明の好適な形態の一例ではあるがこれに限定されるものではなく本発明の要旨を逸脱しない範囲において種々変形実施可能である。例えば、棚５の固定方法は上述の例に限られず、例えば上述の実施形態では、背座一体の身体支持部１とされているが、これに特に限られるものではなく、座と背とが分離されて別々に可動するように脚４に取り付けられ、あるいは別々に脚４に固定支持されるタイプの椅子であっても良い。また、上述の実施形態における付勢手段としては、ガスシリンダに限られず、ばねなどを用いても良い。
【符号の説明】
【００６５】
４  脚
４ａ  底部脚部
５  棚
５ａ  縁部
５ｄ  孔（開口部）
９  連結部材
１０  ビス（連結手段）
１１  ボス部
１２  凹部
２９  長孔
３０  ビス（連結手段）
３３  軸部
３４  押え部材
【図２】
2015231431.tif 000003
【図３】
2015231431.tif 000004
【図４】
2015231431.tif 000005
【図５】
2015231431.tif 000006
【図６】
2015231431.tif 000007
【図７】
2015231431.tif 000008
【図８】
2015231431.tif 000009
【図９】
2015231431.tif 000010
【図１３】
2015231431.tif 000011
【図１４】
2015231431.tif 000012
【図１６】
2015231431.tif 000013
【図１７】
2015231431.tif 000014
【図１】
2015231431.tif 000015
【図１０】
2015231431.tif 000016
【図１１】
2015231431.tif 000017
【図１２】
2015231431.tif 000018
【図１５】
2015231431.tif 000019
【図１８】
2015231431.tif 000020